(57)【要約】      （修正有）【課題】デッキの内部構造の強度が高く、堅牢であって、かつデッキ外面に適宜な弾性を具える、デッキに弾性を有するスケートボードを提供する。【解決手段】弾性を有する材料から選択される第１板体１０と及び弾性を有する材料から選択され、かつ複数の貫通孔２１が穿設された第２板体２０とを組み合わせた部分と、該第１板体と該第２板体との間に設けられ、かつ硬質の材料から選択される第３板体３０と、該複数の貫通孔の位置に対応して設け、かつ該第３板体に連結する複数のウィール４０とを含んでなる。【選択図】図３
0003224461.tif 000002
【実用新案登録請求の範囲】
【請求項１】
弾性を有する材料から選択される第１板体と、及び弾性を有する材料から選択され、かつ複数の貫通孔が穿設された第２板体とを組み合わせた部分と、
該第１板体と該第2板体との間に設けられ、かつ硬質の材料から選択される第３板体と、
該複数の貫通孔の位置に対応して設け、かつ該第３板体に連結する複数のウィールと、を含んでなることを特徴とデッキに弾性を有するスケートボード。
【請求項２】
前記第１板体と該第２板体とを粘着して組み合わせることを特徴とする請求項１に記載のデッキに弾性を有するスケートボード。
【請求項３】
前記第１板体と該第２板体２０との対応する位置に、それぞれ複数の係合孔を形成するとともに、該係合孔に対応する係合体を嵌設して該第１板体と該第２板体とを係合させて一体に組み立てることを特徴とする請求項１に記載のデッキに弾性を有するスケートボード。
【考案の詳細な説明】
【技術分野】
【０００１】
この考案は、スケートボードに関し、特にデッキに弾性を有するスケートボードに関する。
【背景技術】
【０００２】
スケートボードは、使用者が立った状態で、使用者の両足によって押し動かして前進させて運動効果を達成する一種の乗り物構造を有するものである。また、スケートボードは、使用時において身体の傾き、スイングを利用し、もしくは助走によって滑走の効果を達成する。したがって、滑走を以って歩行の代替とすることができ、レジャーのツールとすることができる。同時に、ショートして、もしくは競技としての性質のスピンなどの難度の高い各種動作が生み出され、発展している。このため、スケートボードに関する運動は、欧米で毎年異なる年齢層によって行われており、ブームとなっている。国外でのスケートボード運動が全世界に広まるにつれて、国内のスケートボード運動人口も大幅に増加している。
【０００３】
目下、国内、国外を問わずスケートボードは一般にデッキが硬質の材料によってなるものをよく見かける。デッキが硬質の材料によってなるスケートボードは、外面に弾性がないため、人体の皮膚が弾性的、かつ心地よく接触することができず、人体工学に適合しない。また、ぶつかることで人体が傷害を受ける恐れもあり、係る事態を避けることができない。即ち、安全のための保護効果を具えていない。さらに、子供にとって使い心地がよいものではなく、安全な使用を提供することができない。而も、デザインが単純で変化に乏しいため、購買欲をそそることができない。
【考案の概要】
【考案が解決しようとする課題】
【０００４】
この考案は、デッキの内部構造の強度が高く、堅牢であって、かつデッキ外面に適宜な弾性を具える、デッキに弾性を有するスケートボードを提供することを課題とする。
【課題を解決するための手段】
【０００５】
この考案によるスケートボードは、第１板体と第２板体とを組み合わせた部分、及び第３板体と複数のウィールとを含んでなる。該第１板体と該第２板体とは弾性を具える材料を選択し、該第２板体には複数の貫通孔を穿設する。該第３板体は硬質の材料から選択され、かつ該第１板体と該第２板体との間に設ける。該ウィールは該複数の貫通孔の位置に対応して設け、かつ該第３板体に連結する。
【０００６】
弾性を有する該第１板体と該第２板体との間に、硬質の該第３板体を設けることによって、スケートボードは内部に堅牢で強度の大きい構造を具えるとともに、外面に適宜な弾性を具える。
【考案の効果】
【０００７】
この考案によるスケートボードは、デッキ外面に適宜な弾性を具え、人体の皮膚に弾性的に接触するため人体工学に適合し、かつ人体がぶつかって傷害を受けることなく、安全な保護効果を有する。特に子供が使用した場合はその効果がさらに顕著である。さらには、デザインの面で好ましい外観が得られ、消費者の購買欲をそそることができるという効果を具える。
【図面の簡単な説明】
【０００８】
【図１】この考案によるスケートボードの外観を示した斜視図である。
【図２】図１に開示するスケートボードを底面側から見た斜視図である。
【図３】この考案によるスケートボードを分解した状態を示した説明図である。
【図４】この考案によるスケートボードの断面構造を示した説明図である。
【図５】この考案によるスケートボードの使用態様を示した説明図である。
【図６】他の実施の形態によるスケートボードを分解した状態を示した説明図である。
【図７】図６に開示するスケートボードの断面構造を示した説明図である。
【考案を実施するための形態】
【実施例】
【０００９】
図１、図２、図３、図４に開示するように、この考案によるスケートボード１は、第１板体１０と第２板体２０とを組み合わせた部分、及び第３板体３０と複数のウィール４０とを含んでなる。係るスケートボード１について、以下に詳述する。
【００１０】
第１板体１０と第２板体２０との組み合わせについて、第１板体１０と第２板体２０とは弾性を具える材料を選択し、第２板体２０には複数の貫通孔２１を穿設する。実施例において、貫通孔２１は３つである。
【００１１】
第３板体３０は硬質の材料を選択する。第３板体３０は第１板体１０と第２板体２０との間に配置する。
【００１２】
ウィール４０の位置は貫通孔２１に対応し、第３板体３０に連結する。実施例においてウィール４０は３つ設ける。
【００１３】
一つの実施の形態として、第１板体１０に第２板体２０を粘着させて組み合わせるか、又はその他の、２つの部材を接合する接合加工技術を応用する。
【００１４】
一つの実施の形態として、第１板体１０と第２板体２０とは、エチレン酢酸ビニルコポリマー（ＥＶＡ）か、熱可塑性ゴム（ＴＰＲ）の内の一つを選択するか、もしくはその他の弾性特性を有する弾性材料から選択する。
【００１５】
一つの実施例として、第３板体３０は木材から選択するか、もしくはその他堅牢な特性を有する硬質の材料から選択する。
【００１６】
一つの実施の形態として、第１板体１０と第２板体２０との間に第４板体５０と第５板体６０とを設ける。第４板体５０と第５板体６０とは、上下に川根合わせて積層する。第４板体５０には嵌設孔５１を形成する。嵌設孔５１は第３板体３０の外径より大きくし、第４板体５０を第３板体３０に収納して隠蔽する。
【００１７】
一つの実施の形態として、第５板体６０は弾性を有する材料から選択する。例えば、エチレン酢酸ビニルコポリマー（ＥＶＡ）か、熱可塑性ゴム（ＴＰＲ）の内の一つを選択する。第１板体１０と第２板体２０と、第３板体３０と、第４板体５０と、第５板体６０とは、互いに粘着させるか、又はその他の、部材を十分に接合できる接合加工技術を応用する。
【００１８】
一つの実施の形態として、第１板体１０と第２板体２０とは、予め定めた形状に形成する。
【００１９】
以上はこの考案のそれぞれの部材と、及びその組み立て方式に係る説明である。この考案によるスケートボードの特徴と効果について、如何に述べる。
【００２０】
図４、図５に開示するように、この考案によるスケートボード１は、弾性を有する第１板体１０と第２板体２０との間に硬質の第３板体３０を設ける。よって、スケートボード１が内部に堅牢で強度の大きい構造を具えるとともに、スケートボード１の外面が適宜な弾性を具える。
【００２１】
この考案によるスケートボードは、人体の皮膚が心地よく接触し、人体工学に適し、人体にぶつかることで障害を受けるという事態を避けることができる、安全な保護効果を有する。特に子供が使用した場合はその効果がさらに顕著である。さらには、デザインの面で好ましい外観が得られ、消費者の購買欲をそそることができるという効果を具える。
【００２２】
図６、図７に他の実施例を開示する。第１板体１０と、第２板体２０と、第４板体５０とには対応する位置に、それぞれ複数の係合孔１１、係合孔２２、係合孔５２を形成するとともに、係合孔１１、係合孔２２、係合孔５２に対応する係合体７０を嵌設する。よって、第１板体１０と、第２板体２０と、第４板体５０とは係合して一体に組み立てられる。
【符号の説明】
【００２３】
１０    第１板体
１１    係合孔
２０    第２板体
２１    貫通孔
２２    係合孔
３０    第３板体
４０    ウィール
５０    第４板体
５１    嵌設孔
５２    係合孔
６０    第５板体
７０    係合体
【図１】
0003224461.tif 000003
【図２】
0003224461.tif 000004
【図３】
0003224461.tif 000005
【図４】
0003224461.tif 000006
【図５】
0003224461.tif 000007
【図６】
0003224461.tif 000008
【図７】
0003224461.tif 000009